(57)【特許請求の範囲】
【請求項１】
相互に直交する方向に一対ずつ対向して起立する４枚の側壁板により形成された胴部と、各側壁板の上縁にフラップ折目線を介して連設された４枚の天蓋フラップとを備え、各天蓋フラップをフラップ折目線に沿って順次内側に水平に折り曲げ、各天蓋フラップの左側端部の上側に、各天蓋フラップの右側端部を重合させることにより、四隅に重合部を形成して各天蓋フラップの水平に折り曲げた状態を維持する包装箱において、
何れか１つの重合部を形成する一対の天蓋フラップのうち、一方の天蓋フラップは、その右側端部に、他方の天蓋フラップの左側端部の下側に重合する第１下側重合部と、他方の天蓋フラップの左側端部の上側に重合する第１上側重合部と、第１下側重合部と第１上側重合部との間で一方の天蓋フラップの先端縁からフラップ折目線に向かって所定の長さに切り込まれた第１切欠き部と、第１切欠き部における第１下側重合部と第１上側重合部との境界位置に形成されて一方の天蓋フラップのラップ折目線と平行に延びる凹状の第１係止端部とを備え、
他方の天蓋フラップは、その左側端部に、一方の天蓋フラップの右側端部の上側に重合する第２上側重合部と、一方の天蓋フラップの右側端部の下側に重合する第２下側重合部と、第２上側重合部と第２下側重合部との間で他方の天蓋フラップの先端縁からフラップ折目線に向かって所定の長さに切り込まれた第２切欠き部と、第２切欠き部における第２下側重合部と第２上側重合部との境界位置に形成されて他方の天蓋フラップのラップ折目線に向って延びる凹状の第２係止端部とを備え、
第１切欠き部を備える天蓋フラップをフラップ折目線に沿って最初に折り曲げ、該天蓋フラップの左側端部側に隣接する天蓋フラップから順次フラップ折目線に沿って折り曲げ、第２切欠き部を備える天蓋フラップを最後に折り曲げてその左側端部の下側に第１切欠き部を備える天蓋フラップの右側端部を重合させた後、最初に折り曲げた第１切欠き部を備える天蓋フラップの第１上側重合部を上方に引き上げて、最後に折り曲げた第２切欠き部を備える天蓋フラップの第２下側重合部上に入れ替え重合させて、第１切欠き部の第１係止端部と第２切欠き部の第２係止端部とを相互に係止させることを特徴とする包装箱。
【請求項２】
前記第１切欠き部の内縁によって形成される前記第１上側重合部の右側端縁は、第１切欠き部を備える天蓋フラップのフラップ折目線と第２切欠き部を備える天蓋フラップのフラップ折目線との境界に向かう方向に傾斜する傾斜縁を備えることを特徴とする請求項１記載の包装箱。
【請求項３】
前記第２上側重合部には、第２切欠き部から第１切欠き部を備える天蓋フラップのフラップ折目線と第２切欠き部を備える天蓋フラップのフラップ折目線との境界に向かって斜めに切欠かれた傾斜切欠きが形成されていることを特徴とする請求項１又は２記載の包装箱。
【発明の詳細な説明】
【技術分野】
【０００１】
本発明は、４枚の天蓋フラップを備える包装箱に関する。
【背景技術】
【０００２】
従来、起立する４枚の側壁板により形成された胴部と、各側壁板の上縁に折目線を介して連設された４枚の天蓋フラップとを備える段ボール製の包装箱が知られている。この種の包装箱においては、胴部に被包装物を収納した後、各天蓋フラップを各側壁板の上縁の折目線に沿って順次折り曲げることによって閉蓋する所謂順折り閉蓋が採用されることがある。
【０００３】
即ち、天蓋フラップの順折り閉蓋とは、先ず、何れか１つの天蓋フラップ（第１の天蓋フラップ）を最初に水平に折り曲げ、次いで、該第１の天蓋フラップの左側に隣接する天蓋フラップ（第２の天蓋フラップ）を水平に折り曲げる。続いて、該第２の天蓋フラップの左側に隣接する天蓋フラップ（第３の天蓋フラップ）を水平に折り曲げ、最後に該第３の天蓋フラップの左側に隣接する天蓋フラップ（第４の天蓋フラップ）を水平に折り曲げる。これによって、第１の天蓋フラップの左側端部上には第２の天蓋フラップの右側端部が重合し、同じように、第２の天蓋フラップの左側端部上には第３の天蓋フラップの右側端部が重合し、更に、第３の天蓋フラップの左側端部上には第４の天蓋フラップの右側端部が重合する。
【０００４】
ここで、第４の天蓋フラップの左側端部は、第１の天蓋フラップの右側端部上に重合しており、この状態では閉蓋状態が維持されないために、第４の天蓋フラップの左側端部と第１の天蓋フラップの右側端部との重合方向の上下を入れ換える。これによって、順折り閉蓋が完了する。
【０００５】
しかし、第４の天蓋フラップと第１の天蓋フラップとの重合方向の上下を入れ換える作業は比較的困難であり、場合によっては天蓋フラップが破れ損傷する不都合があった。
【０００６】
そこで、第１の天蓋フラップの右側端部を切欠いて傾斜端縁を設け、更に、側壁板の上縁のフラップ折目線から傾斜端縁に平行に延びて該天蓋フラップの先端縁に至る傾斜折目線を設けることによって、天蓋フラップの傾斜端縁側を傾斜折目線の案内に従って引き上げるだけで、該天蓋フラップ上に重合する他の天蓋フラップの重合方向を簡単に逆転させることができるようにしたものが知られている。
【０００７】
しかし、これによると、天蓋フラップの上下入れ替え作業が容易に行える反面、傾斜折目線が一旦折り曲げられた後に、折癖によって傾斜折目線が上方に突出した状態となり、外観上好ましくないだけでなく、天蓋フラップの重合状態が不十分となる不都合がある。
【特許文献１】特開２００２−１６６９３０号公報
【発明の開示】
【発明が解決しようとする課題】
【０００８】
かかる不都合を解消して、本発明は、天蓋フラップによる閉蓋作業を容易に行うことができ、しかも、外観上平坦な閉蓋状態を形成することができると共に確実に閉蓋状態を維持することができる包装箱を提供することを目的とする。
【課題を解決するための手段】
【０００９】
かかる目的を達成するために、本発明は、相互に直交する方向に一対ずつ対向して起立する４枚の側壁板により形成された胴部と、各側壁板の上縁にフラップ折目線を介して連設された４枚の天蓋フラップとを備え、各天蓋フラップをフラップ折目線に沿って順次内側に水平に折り曲げ、各天蓋フラップの左側端部の上側に、各天蓋フラップの右側端部を重合させることにより、四隅に重合部を形成して各天蓋フラップの水平に折り曲げた状態を維持する包装箱において、何れか１つの重合部を形成する一対の天蓋フラップのうち、一方の天蓋フラップは、その右側端部に、他方の天蓋フラップの左側端部の下側に重合する第１下側重合部と、他方の天蓋フラップの左側端部の上側に重合する第１上側重合部と、第１下側重合部と第１上側重合部との間で一方の天蓋フラップの先端縁からフラップ折目線に向かって所定の長さに切り込まれた第１切欠き部と、第１切欠き部における第１下側重合部と第１上側重合部との境界位置に形成されて一方の天蓋フラップのラップ折目線と平行に延びる凹状の第１係止端部とを備え、他方の天蓋フラップは、その左側端部に、一方の天蓋フラップの右側端部の上側に重合する第２上側重合部と、一方の天蓋フラップの右側端部の下側に重合する第２下側重合部と、第２上側重合部と第２下側重合部との間で他方の天蓋フラップの先端縁からフラップ折目線に向かって所定の長さに切り込まれた第２切欠き部と、第２切欠き部における第２下側重合部と第２上側重合部との境界位置に形成されて他方の天蓋フラップのラップ折目線に向って延びる凹状の第２係止端部とを備え、第１切欠き部を備える天蓋フラップをフラップ折目線に沿って最初に折り曲げ、該天蓋フラップの左側端部側に隣接する天蓋フラップから順次フラップ折目線に沿って折り曲げ、第２切欠き部を備える天蓋フラップを最後に折り曲げてその左側端部の下側に第１切欠き部を備える天蓋フラップの右側端部を重合させた後、最初に折り曲げた第１切欠き部を備える天蓋フラップの第１上側重合部を上方に引き上げて、最後に折り曲げた第２切欠き部を備える天蓋フラップの第２下側重合部上に入れ替え重合させて、第１切欠き部の第１係止端部と第２切欠き部の第２係止端部とを相互に係止させることを特徴とする。
【００１０】
本発明の包装箱は、各天蓋フラップを各側壁板の上縁のフラップ折目線に沿って順次折り曲げることによって閉蓋する所謂順折り閉蓋を採用するものである。そして、本発明によれば、最初に水平に折り曲げられる天蓋フラップに前記第１切欠き部を設け、最後に水平に折り曲げられる天蓋フラップに前記第２切欠き部を設けて、第１切欠き部と第２切欠き部とを相互に係止させることにより閉蓋状態を維持することができる。このとき、第１切欠き部を備える天蓋フラップの第１下側重合部が、第２切欠き部を備える天蓋フラップの第２上側重合部に重合し、第１切欠き部を備える天蓋フラップの第１上側重合部が、第２切欠き部を備える天蓋フラップの第２下側重合部に重合する。これにより、第１切欠き部と第２切欠き部との相互の係止状態を確実に維持することができる。
【００１１】
更に、第１切欠き部と第２切欠き部とを係止させるときには、第１上側重合部を上方に引き上げて、第２下側重合部との上下を逆転させるだけでよいので、引き上げ量は比較的少なく、天蓋フラップを損傷させることなく閉蓋作業を容易に行うことができる。しかも、第１切欠き部と第２切欠き部との係止によるので、係止状態における天蓋フラップの浮き上がりも少なく、外観上好ましい状態で閉蓋状態を形成することができる。
【００１２】
また、本発明においては、前記第１切欠き部の内縁によって形成される前記第１上側重合部の右側端縁は、第１切欠き部を備える天蓋フラップのフラップ折目線と第２切欠き部を備える天蓋フラップのフラップ折目線との境界に向かう方向に傾斜する傾斜縁を備えることが好ましい。
【００１３】
即ち、傾斜縁は、第１切欠き部を有する天蓋フラップの基端角部に向かって傾斜している。これによって、第１上側重合部を上方に引き上げて、第２下側重合部との上下を入れ換えるとき、第１上側重合部の傾斜縁によって第２下側重合部の側縁が円滑に案内されて、第２下側重合部の第１上側重合部下方への侵入が促されるので、第１上側重合部と第２下側重合部との上下関係を簡単に逆転させることができ、その作業性を向上させることができる。
【００１４】
また、本発明においては、前記第２上側重合部には、第２切欠き部から第１切欠き部を備える天蓋フラップのフラップ折目線と第２切欠き部を備える天蓋フラップのフラップ折目線との境界に向かって斜めに切欠かれた傾斜切欠きが形成されていることが好ましい。
【００１５】
即ち、傾斜切欠きは、第２切欠き部を有する天蓋フラップの基端角部に向かって傾斜している。これによって、第２上側重合部が第１下側重合部の上側に重合されたとき、第２上側重合部の浮き上がりが極めて少ない状態で閉蓋することができる。
【発明を実施するための最良の形態】
【００１６】
本発明の一実施形態を図面に基づいて説明する。図１は本実施形態の包装箱を示す説明的斜視図、図２は図１の包装箱の展開図、図３は包装箱の要部における閉蓋作業を示す説明図である。
【００１７】
本実施形態の包装箱１は、図１に示すように、角筒状の胴部２と、該胴部２の上端を閉塞する天部３と、該胴部２の下端を閉塞する底部４とによって直方体状に形成されている。このとき、天部３の四隅には、後述する天蓋重合部３ａ，３ｂ，３ｃ，３ｄが形成される。
【００１８】
該包装箱１は、図２において展開して示すように４枚の側壁板、即ち、第１側壁板５、第２側壁板６、第３側壁板７、第４側壁板８が夫々胴部折目線ａを介して連設されている。各側壁板５，６，７，８は、夫々胴部折目線ａに沿って折り曲げられ、次いで、第１側壁板５の端縁に連設された接着片９が第４側壁板８の端部に接着されて前記胴部２を形成する。また、各側壁板５，６，７，８には、その下端縁に底部折目線ｂを介して夫々底蓋フラップ１０，１１，１２，１３が連設され、各底蓋フラップ１０，１１，１２，１３は底部折目線ｂに沿って水平に折り曲げられて前記底部４を形成する。
【００１９】
次に、本発明に係る本実施形態の前記天部３の構成を詳しく説明する。図２に示すように、第１側壁板５の上端縁には第１フラップ折目線ｃを介して第１天蓋フラップ１４が連設されており、同じようにして、第２側壁板６には第２天蓋フラップ１５、第３側壁板７には第３天蓋フラップ１６、第４側壁板８には第４天蓋フラップ１７が夫々第２〜第４フラップ折目線ｄ，ｅ，ｆを介して連設されている。
【００２０】
前記第１天蓋フラップ１４の右側端部には、その先端縁から第１フラップ折目線ｃに向かって切り込まれた第１切欠き部１８が形成されている。前記第２天蓋フラップ１５の左側端部には、その先端縁から第２フラップ折目線ｄに向かって切り込まれた第２切欠き部１９が形成されている。
【００２１】
第１天蓋フラップ１４において、第１切欠き部１８は略Ｖ字状に切欠かれており、第１フラップ折目線ｃから所定の距離（本実施形態においては、第１天蓋フラップ１４の先端縁から第１フラップ折目線ｃまでの幅寸法の約１／２の距離）を存した位置に第１係止端部２０が形成されている。第１係止端部２０は更に第１フラップ折目線ｃに平行する方向に凹状に延びている。第１切欠き部１８の右側には第１下側重合部２１が形成され、第１切欠き部１８の左側には第１上側重合部２２が形成されている。また、第１切欠き部１８の内縁により形成される第１上側重合部２２の右側端縁は、第１天蓋フラップ１４の基端角部２３に向かって傾斜する傾斜縁２４とされている。なお、傾斜縁２４は第２天蓋フラップ１５に向かって膨出するように湾曲して形成されている。
【００２２】
第２天蓋フラップ１５において、第２切欠き部１９は、第２フラップ折目線ｄから所定の距離（本実施形態においては、第２天蓋フラップ１５の先端縁から第２フラップ折目線ｄまでの幅寸法の約１／２の距離）を存した位置に第２係止端部２５が形成されている。第２係止端部２５は更に第２フラップ折目線ｄに向かって凹状に延びている。第２切欠き部１９の右側には第２下側重合部２６が形成され、第２切欠き部１９の左側には第２上側重合部２７が形成されている。また、第２上側重合部２７の左端には、第２天蓋フラップ１５の基端角部２８に向かって傾斜する形状に切欠かれた傾斜切欠き２９が形成されている。
【００２３】
次に、以上の構成からなる包装箱１の閉蓋作業について説明する。なお、以下の説明における左右位置は、図２において展開された状態によるものである。包装箱１を閉蓋するときには、第１〜第４天蓋フラップ１４，１５，１６，１７を図１において上方から見て時計回りに順次折り曲げる。即ち、先ず、前記第１天蓋フラップ１４を第１フラップ折目線ｃに沿って水平に折り曲げる。次いで、前記第４天蓋フラップ１７を第４フラップ折目線ｆに沿って水平に折り曲げる。これにより、第１天蓋フラップ１４の左側端部が第４天蓋フラップ１７の右側端部の下側に重合されて第１の天蓋重合部３ａが形成される。次いで、前記第３天蓋フラップ１６を第３フラップ折目線ｅに沿って水平に折り曲げる。これにより、第４天蓋フラップ１７の左側端部が第３天蓋フラップ１６の右側端部の下側に重合されて第２の天蓋重合部３ｂが形成される。次いで、前記第２天蓋フラップ１５を第２フラップ折目線ｄに沿って水平に折り曲げる。こうすると、第３天蓋フラップ１６の左側端部が第２天蓋フラップ１５の右側端部の下側に重合されて第３の天蓋重合部３ｃが形成されると同時に、第１天蓋フラップ１４の右側端部が第２天蓋フラップ１５の左側端部の下側に重合されて第４の天蓋重合部３ｄが形成され、第１〜第４天蓋フラップ１４，１５，１６，１７が水平方向に折り曲げられた状態となる。
【００２４】
この状態では、図３（ａ）に平面視して一部を示すように、未だ閉蓋状態が維持されないので、続いて第４の天蓋重合部３ｄにおいては、図３（ｂ）に示すように、第４の天蓋重合部１７に対して、第１天蓋フラップ１４の第１上側重合部２２を、第２天蓋フラップ１５の第２下側重合部２６の上方に引き上げて、第１上側重合部２２と第２下側重合部２６との上下を入れ換える。こうすることによって、図３（ｃ）に示すように、第１天蓋フラップ１４の第１上側重合部２２が第２天蓋フラップ１５の第２下側重合部２６の上側に重合し、第１天蓋フラップ１４の第１切欠き部１８と第２天蓋フラップ１５の第２切欠き部１９とが相互に係止された状態となる。そして、第１切欠き部１８と第２切欠き部１９とは、第１係止端部２０と第２係止端部２５とが互いに組み合って強固な係止状態を形成する。
【００２５】
また、第１上側重合部２２と第２下側重合部２６とが上下で入れ換わるときには、第１上側重合部２２の傾斜縁２４によって第２天蓋フラップ１５の第２下側重合部２６の側縁が円滑に案内されて、第２下側重合部２６の第１上側重合部２２下方への侵入が促されるので、第１上側重合部２２と第２下側重合部２６との上下関係が簡単に逆転し、第１天蓋フラップ１４の第１切欠き部１８と第２天蓋フラップ１５の第２切欠き部１９との相互の係止状態を極めて容易且つ円滑に形成することができる。
【００２６】
また、第１切欠き部１８と第２切欠き部１９とを相互に係止させるために、第１天蓋フラップ１４の第１上側重合部２２を上方に引き上げるだけでよいので、引き上げ量は比較的少なく、第１天蓋フラップ１４を損傷させることなく閉蓋作業を容易に行うことができる。しかも、第１切欠き部１８と第２切欠き部１９との係止によって確実に閉蓋状態を維持することができるだけでなく、係止状態においては第１天蓋フラップ１４と第２天蓋フラップ１５との浮き上がりも少なく、外観上好ましい状態で閉蓋された天部３を形成することができる。更に、第２上側重合部２７の左端には傾斜切欠き２９が形成されていることによって、第１下側重合部２１の上側に重合された第２上側重合部２７の浮き上がりが極めて少ない状態で閉蓋することができる。
【００２７】
なお、本実施形態においては、図２に示すように、第２〜第４天蓋フラップ１５，１６，１７の右側端部の先端角部には斜めに切欠かれた上部傾斜切欠き３０，３１，３２が形成されている。上部傾斜切欠き３０，３１，３２を形成しておくことによって、図１に示すように、天蓋重合部３ａ，３ｂ，３ｃにおいて第２〜第４天蓋フラップ１５，１６，１７の右側端部の浮き上がりの少ない平坦な天部３が形成できて有利である。
【００２８】
なお、本実施形態の包装箱１は、各天蓋フラップ１４，１５，１６，１７による閉蓋状態であっても天部３の一部が開放されるものであり、野菜等を収納するに好適なものを例として上げたが、本発明はこれに限るものではなく、図示しないが、４枚の天蓋フラップにより順折り閉蓋を行うものであれば、天部３の全部を閉塞する包装箱であっても好適に採用することができる。
【００２９】
また、本実施形態に示した包装箱１は、各底蓋フラップ１０，１１，１２，１３を底部折目線ｂに沿って水平に折り曲げ、外側で先端同士が突き合わせられる一対の底蓋フラップ１０，１２をステープラや粘着テープにより互いに連結閉塞することによって底部４を形成するものを挙げたが、底部４についてはこれに限らず、図示しないが、ステープラや粘着テープ等を用いずに閉塞することができる構成を採用してもよい。
【図面の簡単な説明】
【００３０】
【図１】本発明の一実施形態の包装箱を示す説明的斜視図。
【図２】図１の包装箱の展開図。
【図３】包装箱の要部における閉蓋作業を示す説明図。
【符号の説明】
【００３１】
１…包装箱、２…胴部、３ａ…第１の天蓋重合部（重合部）、３ｂ…第２の天蓋重合部（重合部）、３ｃ…第３の天蓋重合部（重合部）、３ｄ…第４の天蓋重合部（重合部）、５，６，７，８…側壁板、ｃ，ｄ，ｅ，ｆ…フラップ折目線、１４…第１天蓋フラップ（一方の天蓋フラップ）、１５…第２天蓋フラップ（他方の天蓋フラップ）、１６…第３天蓋フラップ（天蓋フラップ）、１７…第４天蓋フラップ（天蓋フラップ）、１８…第１切欠き部、１９…第２切欠き部、２０…第１係止端部、２１…第１下側重合部、２２…第１上側重合部、２４…傾斜縁、２５…第２係止端部、２６…第２下側重合部、２７…第２上側重合部、２９…傾斜切欠き。
【図１】
0004791234.tif 000002
【図２】
0004791234.tif 000003
【図３】
0004791234.tif 000004